(57)【要約】【課題】外径の大きさが様々な支柱への取付に対応でき、かつ、支柱に対し箱体がずれ難いと共に、締付バンドに傷が付き難く、重量が重く大型化した箱体でも支持することができる箱体取付金具を提供すること。【解決手段】箱体取付金具１１は、電柱等の支柱に対し箱体２を取り付けるためのもので、ほぼ平行に延びる上側板部１１および下側板部１２とその間の中間板部１３とからなり、中間板部１３は箱体２に取り付けられる一方、上側板部１１と下側板部１２の先端側が支柱に当接し、上側板部１１と下側板部１２とには、支柱の外径に応じた複数の箇所にそれぞれ２本のボルト４１が通されて、その２本のボルト４１と中間板部１３との間を締付バンド３が通るように複数のボルト孔１１ａ〜１１ｄ，１２ａ〜１２ｄが設けられている。【選択図】図４
2014112995.tif 000002
【特許請求の範囲】
【請求項１】
電柱等の支柱に対し箱体を取り付けるための箱体取付金具であって、
ほぼ平行に延びる上側板部および下側板部とその間の中間板部とからなり、中間板部は箱体に取り付けられる一方、上側板部と下側板部の先端側が支柱に当接し、上側板部と下側板部とには、支柱の外径に応じた複数の箇所にそれぞれ複数のボルトが通されて、その複数のボルトと中間板部との間を締付バンドが通るように複数のボルト孔を設けたことを特徴とする箱体取付金具。
【請求項２】
請求項１記載の箱体取付金具において、
上側板部と下側板部の先端側には、それぞれ、外径が異なる支柱でも２つの角が当接するように取り付けるべき支柱の最小の外径よりも幅が狭い凹部が形成されていることを特徴とする箱体取付金具。
【請求項３】
請求項１または請求項２記載の箱体取付金具において、
上側板部と下側板部のボルト孔にボルトを通す場合には、ボルトの軸部の外径よりも大きい内径を有し、かつ、複数のボルト孔の内径とほぼ同じかわずかに小さい外径を有し、かつ、上側板部と下側板部との間の間隔以上の長さを有する円筒状のカラーを上側板部と下側板部のボルト孔に通し、そのカラーにボルトを通したことを特徴とする箱体取付金具。
【発明の詳細な説明】
【技術分野】
【０００１】
本発明は、電柱等の支柱に対し箱体を取り付けるための箱体取付金具に関する。
【背景技術】
【０００２】
通信機器や電子機器等の各種機器を内蔵した箱体を電柱等の支柱に対し取り付ける場合、箱体の上下２箇所に箱体取付金具を取り付けると共に、その箱体取付金具を介して締付バンドを電柱の外周に引き回して取り付ける方法が各種提案されている（例えば、特許文献１〜４参照。）。
【先行技術文献】
【特許文献】
【０００３】
【特許文献１】実公昭５９−３２７２７号公報
【特許文献２】実開昭５１−１６３３６７号公報
【特許文献３】実開昭６０−３１１２１号公報
【特許文献４】実公昭４３−２５３９５号公報
【発明の概要】
【発明が解決しようとする課題】
【０００４】
しかし、箱体を取り付けるべき支柱には、外径の大きさが様々なものがあり、上述の特許文献１〜３の従来の箱体取付金具では、外径の大きさが様々な支柱への取付けには対応できないという問題がある。
【０００５】
また、上述の特許文献４の従来の箱体取付金具では、バンドを通す装柱孔が側面と平面に設けられているため、外径が異なる支柱に対応できるものの、支柱の外周面に対し金具の平面が当接しているため、支柱に対し箱体がずれ易いという問題がある。また、この特許文献４の従来の箱体取付金具では、締付バンドが箱体取付金具の装柱孔の周縁に接触するため、締付バンドに傷が付き易く、切断するおそれがあるという問題もある。
【０００６】
特に、最近は、携帯電話や無線通信の発展に伴い箱体の中に内蔵する各種機器の多様化が進み、様々な大きさの箱体が存在するため、重量型の箱体であっても耐え得る箱体取付金具が望まれている。
【０００７】
そこで、本発明は、このような問題に着目してなされたもので、外径の大きさが様々な支柱への取付に対応でき、かつ、支柱に対し箱体がずれ難いと共に、締付バンドに傷が付き難く、重量が重く大型化した箱体でも支持することができる箱体取付金具を提供することを目的とする。
【課題を解決するための手段】
【０００８】
上記課題を解決するため、本発明に係る箱体取付金具は、電柱等の支柱に対し箱体を取り付けるための箱体取付金具であって、ほぼ平行に延びる上側板部および下側板部とその間の中間板部とからなり、中間板部は箱体に取り付けられる一方、上側板部と下側板部の先端側が支柱に当接し、上側板部と下側板部とには、支柱の外径に応じた複数の箇所にそれぞれ複数のボルトが通されて、その複数のボルトと中間板部との間を締付バンドが通るように複数のボルト孔を設けたことを特徴とする。
ここで、上側板部と下側板部の先端側には、それぞれ、外径が異なる支柱でも２つの角が当接するように取り付けるべき支柱の最小の外径よりも幅が狭い凹部が形成されているとさらに良い。
また、上側板部と下側板部のボルト孔にボルトを通す場合には、ボルトの軸部の外径よりも大きい内径を有し、かつ、複数のボルト孔の内径とほぼ同じかわずかに小さい外径を有し、かつ、上側板部と下側板部との間の間隔以上の長さを有する円筒状のカラーを上側板部と下側板部のボルト孔に通し、そのカラーにボルトを通すとさらに良い。
【発明の効果】
【０００９】
本発明の箱体取付金具は、ほぼ平行に延びる上側板部および下側板部とその間の中間板部とからなり、上側板部と下側板部とには、支柱の外径に応じた複数の箇所にそれぞれ複数のボルトが通されて、その複数のボルトと中間板部との間を締付バンドが通るように複数のボルト孔を設けたため、ボルトを通すボルト孔を変えることにより、外径の大きさが様々な支柱への取付には対応できると共に、締付バンドがボルトの外周面に沿って引き回されるため、締付バンドに傷が付き難くなる。
また、この箱体取付金具は、中間板部側は箱体に取り付けられる一方、上側板部と下側板部の先端側が支柱に当接するため、支柱の外周面に対し面接触で当接する場合よりも支柱に対し箱体がずれ難くなる。そのため、重量が重く大型化した箱体でも支持することができる。
【図面の簡単な説明】
【００１０】
【図１】本発明に係る箱体取付金具の使用状態を示す斜視図である。
【図２】（ａ），（ｂ）それぞれ箱体取付金具の平面図、正面図である。
【図３】（ａ），（ｂ）それぞれ箱体取付金具の底面図、右側面図である。
【図４】（ａ），（ｂ）それぞれ箱体取付金具にカラーを使用してボルトを通して大径の支柱に取り付けた場合と、小径の支柱に取り付けた場合の状態を示す斜視図である。
【図５】（ａ），（ｂ）それぞれ箱体取付金具にカラーを使用してボルトを通し大径の支柱に取り付けた場合の平面図、部分断面正面図である。
【図６】箱体取付金具にカラーを使用してボルトを通し大径の支柱に取り付けた場合の右側面図である。
【発明を実施するための形態】
【００１１】
以下、本発明にかかる箱体取付金具の実施形態について、図面を参照して説明する。
【００１２】
実施形態の箱体取付金具１は、電柱等の支柱に対し箱体２を取り付けるためのもので、図１に示すように、箱体２の裏面の上下２箇所にそれぞれ設けられ、各箱体取付金具１に締付バンド３を通して支柱の外周面に引き回し締め付けて箱体２を取り付ける。なお、図１において、４１，４４はボルト、４２はナット、４３は金属性のカラー、４５，４６は座金である。また、締付バンド３には、図１に示すように、複数の掛止孔３１が設けられており、この掛止孔３１にフックボルト３２先端のフック部を掛止すると共に、フックボルト３２後端のネジ部にナット３３を螺合することにより締め付けることができる。
【００１３】
箱体取付金具１は、図１〜図３に示すように、ほぼ平行に延びる上側板部１１および下側板部１２とその間の中間板部１３とで構成されおり、中間板部１３には、図２（ｂ）に示すように箱体２に取り付けるための一対のボルト孔１３ａ，１３ｂが設けられている。なお、このボルト孔１３ａ，１３ｂは、ボルト４３の多少の場所ズレを補正できるように長孔に形成している。また、ボルト孔１３ａ，１３ｂとの間には、重量を軽減するため貫通孔１３ｃを設けている。
【００１４】
上側板部１１と下側板部１２の先端側には、それぞれ、外径が異なる支柱でも両側の２つの角部１１１ａ，１１１ｂ、１２１ａ，１２１ｂが常に当接するように、取り付けるべき支柱の最小の外径よりも幅が狭い凹部１１１，１２１が形成されている。なお、本発明では、角部１１１ａ，１１１ｂ、１２１ａ，１２１ｂおよび凹部１１１，１２１を設けることは必須ではなく、省略しても良い。
【００１５】
そして、上側板部１１と下側板部１２とには、図４（ａ），（ｂ）に示すように支柱の外径に応じた箇所にそれぞれ２本のボルト４１（図４等参照。）が座金４５を介し通されて、その２本のボルト４１と中間板部１３との間を締付バンド３が通るように複数のボルト孔１１ａ〜１１ｄ，１２ａ〜１２ｄを設けている。
【００１６】
つまり、外径の大きい大径の支柱に箱体２を取付ける場合には、図４（ａ）に示すように間隔の大きい外側のボルト孔１１ａ，１１ｄ、１２ａ，１２ｄにそれぞれ座金４５を介しボルト４１を通してナット４２により固定する。尚、ナット４２側にも座金４５を使用する。
【００１７】
これに対し、外径の小さい小径の支柱に箱体２を取付ける場合には、図４（ｂ）に示すように間隔の小さい内側のボルト孔１１ｂ，１１ｃ、１２ｂ，１２ｃにそれぞれ座金４５を介しボルト４１を通してナット４２により固定する。
【００１８】
ここで、上側板部１１と下側板部１２のボルト孔１１ａ〜１１ｄ，１２ａ〜１２ｄにボルト４１を通す場合には、図４〜図６に示すように、プラスチック製や金属製等の円筒状のカラー４３を使用し、そのカラー４３の中にボルト４１を通している。
【００１９】
カラー４３は、図５（ｂ）や図６に示すようにボルト４１の軸部が通るようにその軸部の外径よりも大きい内径を有し、かつ、複数のボルト孔１１ａ〜１１ｄ，１２ａ〜１２ｄの内径とほぼ同じかわずかに小さい外径を有している。また、上側板部１１と下側板部１２との間の裏面間の間隔以上で、かつ、上側板部１１と下側板部１２それぞれの表面から突出しないような長さを有している。そのため、カラー４３にボルト４１を通した後、カラー４３とボルト４１を上側板部１１と下側板部１２の複数のボルト孔１１ａ〜１１ｄ，１２ａ〜１２ｄに通すと、カラー４３の両端部は、上側板部１１と下側板部１２の内側を超え、上側板部１１と下側板部１２の外側近傍にまで達することになる。
【００２０】
従って、本実施形態の箱体取付金具１は、ほぼ平行に延びる上側板部１１および下側板部１２とその間の中間板部１３とからなり、上側板部１１と下側板部１２とには、支柱の外径に応じた複数の箇所にそれぞれ２本のボルト４１が通され、その２本のボルト４１と中間板部１３との間を締付バンド３が通るように複数のボルト孔１１ａ〜１１ｄ，１２ａ〜１２ｄを設けたため、ボルト４１を通すボルト孔１１ａ〜１１ｄ，１２ａ〜１２ｄを変えることにより、外径の大きさが様々な支柱への取付に対応できると共に、締付バンド３がボルト４１の外周面に沿って引き回されるため、締付バンド３に傷が付き難くなる。なお、ボルト４１の軸部のうち、上側板部１１と下側板部１２の間に露出する外周面にはねじ山を設けないものとするが、カラー４３を使用する場合には、ねじ山があっても良い。
【００２１】
また、この箱体取付金具１は、中間板部１３側は箱体２に取り付けられる一方、上側板部１１と下側板部１２の先端側が支柱に当接するため、支柱に対し箱体２がずれ難くなる。そのため、重量が重く大型化した箱体２でも支持することができる。
【００２２】
特に、この箱体取付金具１では、上側板部１１と下側板部１２の先端側には、それぞれ、外径が異なる支柱でも両側の２つの角部１１１ａ，１１１ｂ、１２１ａ，１２１ｂが常に当接するように、取り付けるべき支柱の最小の外径よりも幅が狭い凹部１１１，１２１を設けているため、支柱に固定した場合、常に凹部１１１，１２１の両側の角部１１１ａ，１１１ｂ、１２１ａ，１２１ｂが支柱の外周面に点接触で当接することになり、支柱に対し箱体２がよりずれ難くなり、重量が重く大型化した箱体２でもさらに支持することができる。
【００２３】
また、この箱体取付金具１では、選択したボルト孔１１ａ〜１１ｄ，１２ａ〜１２ｄに円筒状のカラー４３を２つ通し、そのカラー４３にボルト４１を通すようにしたため、締付バンド３がカラー４３に接触することになり、カラー４３の長さは、両端部で上側板部１１と下側板部１２の内側を超え、上側板部１１と下側板部１２の外側近傍にまで達することから、カラー４３とボルト孔１１ａ〜１１ｄ，１２ａ〜１２ｄとの間に締付バンド３が入り込む（引っ掛かる）隙間ができなくなる。その結果、締付バンド３にさらに傷が付き難くなる。なお、ボルト４１の軸部のうち、上側板部１１と下側板部１２の間に露出する外周面にはねじ山を設けていないため、カラー４３を省略しても締付バンド３がボルト４１のねじ山に接触することは防止できる。
【００２４】
なお、上記の説明では、箱体取付金具１の上側板部１１および下側板部１２に、それぞれ、４つのボルト孔１１ａ〜１１ｄ，１２ａ〜１２ｄを設けて、大径および小径の支柱に対応できるように説明したが、本発明では、これに限らず、上側板部１１および下側板部１２に、それぞれ、６つ以上のボルト孔を設けるようにしても勿論良い。
【符号の説明】
【００２５】
１  箱体取付金具
１１  上側板部
１１ａ〜１１ｄ  ボルト孔
１１１  凹部
１１１ａ，１１１ｂ  角部
１２  下側板部
１２ａ〜１２ｄ  ボルト孔
１２１  凹部
１２１ａ，１２１ｂ  角部
１３  中間板部
２  箱体
３  締付バンド
４１，４４  ボルト
４２  ナット
４３  カラー
４５，４６  座金
【図１】
2014112995.tif 000003
【図２】
2014112995.tif 000004
【図３】
2014112995.tif 000005
【図４】
2014112995.tif 000006
【図５】
2014112995.tif 000007
【図６】
2014112995.tif 000008